(57)【要約】【課題】介護や着替えが容易で、着心地もよい寝衣を提供する。【解決手段】背中部分の外側面に、耐久性を持つ補強用生地４２を設け、補強用生地４２の着用者の身長方向に沿う端部を、背中部分に縫い合わせて筒状に形成する。補強用生地４２の身長方向に対して交差する一対の端部から介護者が手を挿通し、持ち上げることで着用者を寝返りさせることができるようにした。襟２４の両横と、それに連続する肩と腕の上面が分割され、分割された一対の端縁部には、互いに着脱自在な係合手段である面ファスナー５２，５６，５８，６２，６６等が設けられている【選択図】    図１
2004300583.tif 000002
【特許請求の範囲】
【請求項１】
背中部分の外側面に、耐久性を持つ補強用生地が設けられ、上記補強用生地の着用者の身長方向に沿う端部が背中部分に縫い合わされて筒状に形成され、上記補強用生地の身長方向に対して交差する一対の端部から介護者が手を挿通し持ち上げることで着用者を寝返りさせることができるようにしたことを特徴とする寝衣。
【請求項２】
襟の両横とそれに連続する肩と腕の上面が分割されて身頃と袖が展開され、分割された一対の端縁部には、互いに着脱自在な係合手段が設けられていることを特徴とする寝衣。
【請求項３】
上記分割された襟の一方の端部に、分割された襟の他方の端部に重ねられて連結される連結部が設けられ、上記連結部と上記分割された襟の他方の端部には互いに着脱される面ファスナーが設けられていることを特徴とする請求項２記載の寝衣。
【請求項４】
身体の前で右前身頃と左前身頃を打ち合わせて着用する浴衣形であり、打ち合わせの身体側となる一方の前身頃に１枚の布で作られたマチが連接して設けられ、上記マチは、縦方向の長さは裾から腹部付近に達し、縦方向の一端部は上記前身頃の前側端部に縫い合わされ、他方の端部には上記マチが設けられた前身頃と反対側の前身頃の内側に着脱自在に係止される係合手段が設けられていることを特徴とする寝衣。
【発明の詳細な説明】
【０００１】
【発明の属する技術分野】
この発明は、簡単に着脱する浴衣形の寝衣に関する。
【０００２】
【従来の技術】
【特許文献１】特開平１０−１３０９１７号公報
【特許文献２】特開２００２−１３８３１２号公報
従来、身体の前で右前身頃と左前身頃を打ち合わせて簡単に着用する浴衣形の寝衣は、病院や福祉施設等で、入院患者に着用されている。このような寝衣は、前身頃の前側の先端と、反対側の前身頃の脇部に、紐体が縫い付けられている。この一対の紐体を互いを結んだり外したりして寝衣を着脱する。
【０００３】
また、ベッドに寝たきりで療養している患者に寝衣を着替えさせるときは、まず介助者が体を横向きに寝返りさせて左半身または右半身をベッドから浮かせ、この浮いている半身に寝衣を着せ、次に体を反対の横向きに寝返りさせて残りの半分を着用させていた。しかし、体を寝返りさせるために肩や背中を押すと、押されている部分に痛みが生じることがある。これを防ぐために、体の下に小さいタオルケットを敷き、このタオルケットの端部を引き上げて寝返りさせるなどの工夫がされていた。
【０００４】
その他、特許文献１，２に開示されているように、前合わせ部位外の開閉部を備えた介護用寝間着も提案されている。
【０００５】
【発明が解決しようとする課題】
しかし、上記従来の技術のタオルケットを用いた場合、タオルケットは一枚の布であり持ちにくいため寝返りさせる際に力が入り難く、介護者の手が痛くなり疲れやすいという問題があった。また、タオルケットには掴むところがないため手が滑る恐れもあった。さらに、体の下に敷いたタオルケットをベッドのマットにはさんで固定したり、そのタオルケットを引き出して介護者が掴んだりする動作が面倒なものであった。また、寝衣を掴んで引き上げて寝返りを打たせることもできるが、寝衣に強度がなく、破れる恐れがあった。
【０００６】
そして、ベッドに寝たきりで療養している人は肩や腕がこわばっていて、腕を通す時に肘や肩を曲げることが大変であり、介護者も力を要すると言う問題もあった。
【０００７】
また浴衣形の寝衣は、洋服のように身体に密着せず、身体の前側で前身頃を巻き付けて、紐体を結んで係止されているだけなので、寝ている間に裾付近の合わせ幅が浅くなり、はだけて足が冷えたり、めくれ上がって足元がごろついたりして不快なことがある。
【０００８】
この発明は上記従来の問題点に鑑みてなされたものであり、介護や着替えが容易で、着心地もよい寝衣を提供することを目的とする。
【０００９】
【課題を解決するための手段】
この発明は、背中部分の外側面に、耐久性を持つ補強用生地が設けられ、上記補強用生地の着用者の身長方向に沿う端部が背中部分に縫い合わされて筒状に形成され、上記補強用生地の身長方向に対して交差する一対の端部から介護者が手を挿通し持ち上げることで着用者を寝返りさせることができるようにした寝衣である。
【００１０】
また、襟の両横とそれに連続する肩と腕の上面が分割されて身頃と袖が展開され、分割された一対の端縁部には、互いに着脱自在な係合手段が設けられている寝衣である。上記係合手段は、例えば面ファスナー、スライドファスナー、ボタン、ホックなど、自由に選択可能である。そして上記分割された襟の一方の端部に、分割された襟の他方にの端部に重ねられて連結される連結部が設けられている。上記連結部と、上記分割された襟の他方の端部には互いに着脱される面ファスナーが設けられている。
【００１１】
また、身体の前で右前身頃と左前身頃を打ち合わせて着用する浴衣形であり、打ち合わせの身体側となる一方の前身頃に１枚の布で作られたマチが連接して設けられている。上記マチは、縦方向の長さは裾から腹部付近に達し、縦方向の一端部は前身頃の前側端部に縫い合わされている。他方の端部には上記マチが設けられた前身頃と反対側の前身頃の内側脇部に着脱自在に係止される係合手段が設けられている。この係合手段は、例えば一対の紐体である。
【００１２】
この発明の寝衣は、背中の補強用生地を使って寝たきりで療養している病人の寝返りを打たせ、着替えさせることができるようにしたものである。また、襟の両横から肩と腕を分割して身頃と袖を展開し、そこに着用者の肩と腕を載せ、面ファスナーで身頃と袖、襟をそれぞれ連結して連結して簡単に着せることができるものである。前身頃にはマチが設けられ、前身頃の打ち合わせから足が露出することを防ぐものである。
【００１３】
【発明の実施の形態】
以下、この発明の実施形態について図面に基づいて説明する。図１〜図３は、この発明の一実施形態を示すものであり、この実施形態の寝衣１０は、右前身頃１２、左前身頃１４、右後身頃１６、左後身頃１８が縫い合わされて設けられている。右前身頃１２と右後身頃１６には右袖部２０が、また左前身頃１４と左後身頃１８には左袖部２２が縫い合わされている。首の後から右前身頃１２、左前身頃１４の腹部付近にかけて、帯状の襟部２４が連続して設けられている。
【００１４】
襟２４の、左前身頃１４に取り付けられた部分には、下端部付近と胸の位置付近に、側方へ突出する紐体２６，２８が縫い付けられて設けられている。右前身頃１２の外側の脇部には、紐体２６，２８に対向する位置に紐体３０，３２が設けられている。襟２４の、右前身頃１２に取り付けられた部分には、下端部付近と胸の位置付近に、側方へ突出する紐体３４，３６が縫い付けられて設けられている。左前身頃１４の内側の脇部には、紐体３４，３６に対向する位置に紐体３８，４０が設けられている。
【００１５】
右後身頃１６、左後身頃１８の外側面には、図２に示すように右袖部２０、左袖部２２のわずかに下から、着用状態で太ももの中央付近までを覆う補強用生地４２が取り付けられている。補強用生地４２は右後身頃１６、左後身頃１８と同じ生地で作られ、着用状態で身長方向に沿う両方の端部４２ａ，４２ｂが縫い付けられている。端部４２ａ，４２ｂに対して直角な端部４２ｃ，４２ｄは右後身頃１６または左後身頃１８との間が開口され、補強用生地４２の内側に挿通可能となっている。補強用生地４２の中心は、端部４２ａ，４２ｂに対して平行に、右後身頃１６と左後身頃１８の境目付近に縫い合わされている。
【００１６】
右前身頃１２の前側縁部１２ａには、下半身にマチ４４が設けられている。マチ４４は、柔らかい生地を矩形に切断して設けられ、一方の端部４４ａが右前身頃１２の前側縁部１２ａに縫い合わせられ、側縁部１２ａ内側に縦の二つ折りにされて収容されている。マチ４４の上端部４４ｂは、襟２４の下端部の内側に縫いとめられている。マチ４４の、端部４４ａに対して平行な他端部４４ｃには、中間よりもやや下寄りに、紐体４６が縫い付けられて設けられている。左前身頃１４の内側の脇部には、紐体４６に対向する位置に紐体４８が設けられている。なお、このマチ４４は、男女で左右の位置が逆に形成される。
【００１７】
右前身頃１２と右後身頃１６で作られた肩部は、肩の長手方向に分割され、右袖部２０と襟２４も連続して分割されている。分割された一対の端縁部５０には、互いに着脱自在な面ファスナー５２が設けられている。右前身頃１２側の襟２４には、端縁部５０よりも襟２４の延長方向に突出する連結部５４が一体に形成されている。連結部５４の内側面には面ファスナー５６が設けられている。右後身頃１６側の襟２４には、面ファスナー５６に着脱自在な面ファスナー５８が外側面に設けられている。
【００１８】
左前身頃１４と左後身頃１８で作られた肩部は、肩の長手方向に分割され、左袖部２２と襟２４も連続して分割されている。分割された一対の端縁部６０には、互いに着脱自在な面ファスナー６２が設けられている。左前身頃１４の襟２４は、端縁部６０よりも襟２４の延長方向に突出する連結部６４が一体に形成されている。連結部６４の内側面には面ファスナー６６が設けられている。左後身頃１８側の襟２４には、連結部６４の面ファスナー６６に着脱自在な図示しない面ファスナーが外側面に設けられている。
【００１９】
次に、寝衣１０の着脱方法について説明する。着用者６８が寝衣を着た状態を図３に示す。右前身頃１２の襟２４に取り付けられた紐体３４，３６と、左前身頃１４の内側の脇部に位置する紐体３８，４０を結び、マチ４４の紐体４６と左前身頃１４の内側の脇部に位置する紐体４８を結ぶ。右前身頃１２の外側に左前身頃１４を被せ、左前身頃１４の襟２４に取りつけられた紐体２６，２８と、右前身頃１２の外側の脇部に位置する紐体３０，３２を結ぶ。
【００２０】
次に、仰向きに寝ている着用者６８から、介護者７０が寝衣１０を脱がせる方法について説明する。まず、右前身頃１２の襟２４に連続する連結部５４の面ファスナー５６を、右後身頃１６の面ファスナー５８から外す。そして肩の一対の面ファスナー５２を互いに外して一対の端縁部５０を分離させ、右前身頃１２と右後身頃１６を離し、右袖部２０を展開して着用者の右肩と右腕を露出させる。同様に左前身頃１４の襟２４に連続する連結部６４の面ファスナー６６を左後身頃１８の面ファスナーから外す。そして肩の一対の面ファスナー６２を互いに外して一対の端縁部６０を分離させ、着用者６８の左肩と左腕を露出させる。
【００２１】
次に、紐体２８，３２等、互いに結んである五対の紐体をそれぞれ解く。次に介護者７０は両手を着用者６８の左側から背中に手を回し、補強用生地４２の端部４２ｃ，４２ｄから補強用生地４２と左後身頃１８の間に手を深く差し込む。この状態で手を引き上げると、寝衣１０の左側とともに着用者６８の左半身が持ち上がり右向きに寝返りを半周させることができる。着用者６８の左半身から左前身頃１４，左後身頃１８，左袖２２を脱がせて背中の中心側に寄せる。一旦着用者６８を仰向けに戻してから、次に着用者６８の右側から背中に手を回し、補強用生地４２の端部４２ｃ，４２ｄから補強用生地４２と右後身頃１６の間に手を深く差し込む。この状態で手を引き上げると、寝衣１０の右側とともに着用者６８の右半身が持ち上げられて左向きに寝返りを半周させることができる。着用者６８の背中の下から寝衣１０の左半身を引き出し、右前身頃１２，右後身頃１６，右袖部２０を外して寝衣１０を脱がせる。
【００２２】
着用者６８に寝たまま寝衣１０を着せる場合は、右向きに寝返りを打っているときに寝衣１０の右半身を着せ、左向きに寝返りを打っているときに寝衣１０の左半身を着せ、最後に各面ファスナーと各紐体を閉めて着用させる。また、左右を逆の順で着脱させてもよい。
【００２３】
着用者６８が寝ているときに寝衣１０の裾が広げられた場合、図３に示すようにマチ４４の紐体４６が左前身頃１４の内側の脇部に設けられた紐体４８に引かれて左前身頃１４の側方へ広がり、足を覆う。着用者６８が起きて運動する際も、足の動きに伴いマチ４４が広がる。
【００２４】
この発明の寝衣１０によれば、簡単な構造であり、着替えやすくて着心地が良好である。また、寝たきりの着用者６８を介護する際にも容易に着替えをさせることができ便利である。介護者７０が、補強用生地４２と右後身頃１６または左後身頃１８の間に手を差し込んで腕を上に移動させるだけで着用者６８を簡単に寝返りさせることができる。これにより、介護者７０は少ない力で確実に寝返りや着替えをさせることができ、着用者６８も寝返りのときに体を押される苦痛を受けることがない。また介護者７０の手が外れることがなく、安全である。着替え以外に、床ずれを防ぐための寝がえりや、移動の補助も簡単に行うことができる。補強用生地４２は、右後身頃１６や左後身頃１８と同じ布で作られているため、外見に違和感がない。また、補強用生地４２は背中を広く覆っているため、段差や継ぎ目がなく、寝ているときやいすの背もたれに寄りかかるときにごろつき感がない。また、右前身頃１２の裾にはマチ４４が設けられて足を覆っているため、足がはだけて冷えたり、また寝ているときにめくれてごろつくことがなく、快適に着用することができる。両肩は面ファスナー５２，６２で簡単に展開したり閉じたりすることができ、肩や手が動き難い着用者６８の着替えを手伝う際に、肩や手を無理に曲げたりすることがなく、着用者６８も介護者７０も楽に行うことができる。襟２４には、端縁部５０，６０よりも突出して襟２４の外側に重ねられて係止される連結部５４，６４が設けられているため、不用意に外れることがなくしっかりと着用することができる。
【００２５】
なお、この発明の寝衣は上記実施の形態に限定されるものではなく、丈の短い上着のみの形状でも良く、シャツや肌着に適用したものでも良い。その場合、袖を長くして、上記実施形態のマチ４４がなくても良く、補強用生地４２のない形状で、肩部分と前身頃が開閉自在としただけのものでも良い。また、紐体や面ファスナーは他の係止手段でもよく、肩を分割する位置は、肩の上面以外に肩のやや前側などでもよい。肩の分割や、背中の補強用生地は、浴衣形の寝衣の他に、ガウン形やパジャマ形など、いろいろなデザインの寝衣にも利用することができる。また、寝衣のマチは、介護用の寝衣の他に、宿泊施設で使用される浴衣に設けてもよく、動き易く着心地が良好なものとなる。
【００２６】
【発明の効果】
この発明の寝衣は、容易に着替えることが可能であり、着心地が良好である。そして寝たきりで療養している人を簡単に着替えさせることができ、介護が容易となる。また、前身頃にマチが連接して設けられ、裾がはだけても足が露出せず、好都合である。
【図面の簡単な説明】
【図１】この発明の一実施形態衣の寝衣の正面図である。
【図２】この実施形態の寝衣の背面図である。
【図３】この実施形態の寝衣の着用状態を示す正面図である。
【符号の説明】
１０  寝衣
１２  右前身頃
１４  左前身頃
１６  右後身頃
１８  左後身頃
２０  右袖部
２２  左袖部
２４  襟
２６，２８，３０，３２，３４，３６，３８，４０，４６，４８  紐体
４２  補強用生地
４４  マチ
５０，６０  端縁部
５２，５６，５８，６２，６６  面ファスナー
５４，６４  連結部
【図１】
2004300583.tif 000003
【図２】
2004300583.tif 000004
【図３】
2004300583.tif 000005